(57)【要約】      （修正有）【課題】中央部が透明な耐熱ガラスなどの耐熱部を主体とし、全体として煮炊きをする調理物の膨出を許容できる十分な容量を確保できるドーム形状を呈しながら、非使用時はコンパクトに折り畳んで収納できる鍋蓋を提供する。【解決手段】耐熱透明主体の周辺を耐熱樹脂帯２で取り巻いた鍋蓋であって、耐熱樹脂帯２を中央部に向けて高くし、且つその帯幅の略中央部に折曲げ部３を形成すると共に、この折曲げ部３の内周に補助曲げ部３０を形成する。また耐熱透明主体が平板状であり、耐熱樹脂帯２が外方に膨出した形状であると一層好ましい。【選択図】図２
0003187699.tif 000002
【実用新案登録請求の範囲】
【請求項１】
耐熱透明主体の周辺を耐熱樹脂帯で取り巻いた鍋蓋であって、耐熱樹脂帯を中央部に向けて高くし、且つその帯幅の略中央部に折曲げ部を形成すると共に、この折曲げ部の内周に補助曲げ部を形成したことを特徴とする鍋蓋。
【請求項２】
耐熱透明主体が平板状である請求項１に記載の鍋蓋。
【請求項３】
耐熱樹脂帯が外方に膨出した形状である請求項１又は２に記載の鍋蓋。
【考案の詳細な説明】
【技術分野】
【０００１】
本考案は、ガラスなどの耐熱透明部を中央部に有した鍋蓋に関するものである。
【背景技術】
【０００２】
従来より、耐熱ガラスを使った鍋は蓋を開けなくても中身を確認でき、また重量感、高級感があって良く使用されている。その形状は金属やその他の鍋蓋と同様、ドーム状に形成したものが多用されているが、曲面ガラスは加熱されると歪により割れやすく、どうしても厚くなるので、重くなり、女性や老人では扱い辛い上に、収納時は嵩張る欠点があった。これを解消しようとして平面ガラスを使用すると、比較的嵩張らずに薄く形成できるが、通常鍋は調理内容物が膨張する可能性があるので、それらの空間が少なくなり、用途が限られる欠点があった。
【０００３】
また蓋全体をシリコン樹脂などで折り畳めるようにしたものはあったが、一体成形されるので、中央部を透明にすることができないものであった。
【特許文献１】特開２０１１−１０６６８号公報
【特許文献２】実用新案登録第３１７１６００号公報
【考案の開示】
【考案が解決しようとする課題】
【０００４】
本考案は、中央部が透明な耐熱ガラスなどの耐熱部を主体とし、全体として煮炊きをする調理物の膨出を許容できる十分な容量を確保できるドーム形状を呈しながら、非使用時はコンパクトに折り畳んで収納できる鍋蓋を提供しようとするものである。
【課題を解決するための手段】
【０００５】
本考案の主たる特徴は、耐熱透明主体１の周辺を耐熱樹脂帯２で取り巻いた鍋蓋であって、耐熱樹脂帯２を中央部に向けて高くし、且つその帯幅の略中央部に折曲げ部３を形成すると共に、この折曲げ部３の内周に補助曲げ部３０を形成したしたことである。
【０００６】
請求項２に記載の考案の特徴は、耐熱透明主体１を平板状としたことであり、更に請求項３に記載の考案は、耐熱樹脂帯２を外方に膨出した形状としたことである。
【考案の効果】
【０００７】
本考案にあっては請求項１の考案では、上述のようにしたから、中央部が透明で調理時、鍋の中の調理物を確認しながら調理できるものにおいて、耐熱樹脂帯２の中央部が高くなる傾斜により、調理時は全体の形態を中央部が持ち上がったドーム状に近い形状とし、通常の煮炊きするドーム形状の鍋としての機能を発揮することができ、更に非使用時は耐熱樹脂体２を折曲げ部３及び補助曲げ部３０で折り畳んでコンパクトに収納できる利点がある。
【０００８】
また、蓋全体を耐熱ガラスで構成するものに比し、一部に軽量な耐熱樹脂帯２が使用されることで、重量な耐熱ガラスの使用量を減らせるため、全体としての重量を大幅に減らせて、女性や老人、子供でも、容易且つ安全に使用でき、また落下しても破損することも減少できる。しかもガラスで一体に形成するものに比し、全体としては中央部のガラス部分で高級感を確保しながら、耐熱樹脂帯２により、種々のカラーバリエーションを展開できることになる。
【０００９】
また、請求項２の考案では、耐熱透明主体１は歪が生じ難い平板状であることにより、一層薄く軽量化も更に向上する。この場合でも耐熱樹脂帯２はその内周部が高くなる傾斜を持っているので、使用時のドーム状形態は損なわれることがない。
【００１０】
更に請求項３のように、耐熱樹脂帯２を外方に膨出した形状としておくと、中央部の耐熱透明主体１が平板状の場合でも、容易に全体形状をドーム状に近づけることができる。
【考案を実施するための最良の形態】
【００１１】
図１は本考案の一実施例の概略を示すもので、鍋８に被せた状態であり、耐熱透明主体１の外周はドーナツ形状の耐熱樹脂帯２の内縁の主体保持部４のコ字形溝にインサート成形で保持され、耐熱透明主体１の中央部に開けられた小孔５に挿通されたねじを取っ手６にねじ込んで固着される。９はそのねじの頭、１０はパッキング、１１は座金である。小突起７は折り畳んだ時に耐熱樹脂帯２が上からの力で押し下げられても、耐熱透明主体１が接地面に直接接触し難いように浮かせるためのものあり、設けるのが好ましい。また耐熱透明主体１は多少ドーム状の曲面板でも良いが、歪が少なく薄くできる平板が好ましい。
【００１２】
耐熱樹脂帯２は内周が外周に比べて高くなる傾斜を有する環状帯で、帯幅の略中央部を同心状に薄肉にした折曲げ部３が設けられ、更にその内周に補助曲げ部３０が設けられている。ここで折曲げ部３は外面側がなだらかに凹み、補助曲げ部３０は内面側がなだらかに凹んで、同心環状に形成される。また、耐熱樹脂帯２の曲面は、外側が凸のドーム状が好ましいが、肉厚が比較的薄い小型の場合は、外側が凹の反った曲面でも耐熱透明主体１を上方に突出した状態で保持し得るので、それでも構わない。
【００１３】
耐熱透明主体１は主として耐熱ガラスが使用されるが、アクリルなどの耐熱性のある他の透明樹脂でも構わない。また耐熱樹脂帯２はシリコン樹脂が好適であるが、耐熱性と軟質弾性を有するものであれば、他の樹脂でも構わない。
【００１４】
耐熱樹脂帯２は、外周部２１と内周部２２、主体保持部４から構成され、外周部２１と内周部２２は折曲げ部３で、内周部２２と主体保持部４は補助曲げ部３０で連なり、全体が一体に成形される。また多少の凹凸はあっても良いが、耐熱樹脂帯２全体としては、外に膨れたものとするのが好ましい。
【００１５】
更に詳しくは、外周部２１と内周部２２はいずれも幅の中央部が厚く、且つ上下が薄くなり、しかも外側が外方に膨らむ曲面を呈し、折曲げ部３は逆に中央部が薄く上下が厚く、かつ外側において、外、内周部２１、２２とは逆の凹み曲面を呈し、それらの曲面はなだらかに連なっている。補助曲げ部３０も中央部が薄く上下が厚くなるが、内側において凹んだ曲面となる。また、耐熱樹脂帯２の内曲面はなだらかな曲面となっている。尚、必要に応じて外周縁に鍋８の立ち上がり縁に係止される段部１２を設けることもできる。また、蒸気抜き孔は耐熱樹脂帯２或いは耐熱透明主体１の適所に施すことができる。尚、鍋８の外周に受け段部３２がある場合は図３のように上記段部１２はなくても良い。
【００１６】
図２は折り畳んだ状態を示すもので、耐熱透明主体１あるいは取っ手６を掴んで下に押し込むと、折曲げ部３は山折れ、補助曲げ部３０は谷折れ状態に折れ曲がって反転し、図の状態に保持され、コンパクトな状態で収納される。逆に耐熱透明主体１を引き上げると、図１の状態に膨れ、ドーム状の鍋蓋として使用できる。
【００１７】
尚、形状は図示した通常の円のほか、楕円、正方形、長方形、その他の任意の異形のいずれにも適用できる。
【産業上の利用可能性】
【００１８】
本考案は、中央部が透明で、周囲が折り畳めるもので、主として煮炊き鍋やフライパン等の蓋として利用し、鍋を煮炊きに使用するときは、調理物が膨らんでも中央部の持ち上がり部分で吸収でき、収納時は耐熱樹脂帯を折曲げ部で折り込んでコンパクトに収納できるものであるが、それ以外に中身が見える容器の蓋としても活用でき、その場合でも収納時は蓋の中央部が盛り上がらないように畳んでコンパクトに収納できる。
【図面の簡単な説明】
【００１９】
【図１】本考案の一実施例の鍋に被せた使用状態の概略断面図。
【図２】同上の折り畳んで収納する状態の概略断面図。
【図３】同上の他の実施例の鍋に被せた状態の要部断面図。
【符号の説明】
【００２０】
１は耐熱透明主体、２は耐熱樹脂帯、３は折曲げ部。
【図１】
0003187699.tif 000003
【図２】
0003187699.tif 000004
【図３】
0003187699.tif 000005
【手続補正書】
【提出日】平成25年10月9日(2013.10.9)
【手続補正１】
【補正対象書類名】明細書
【補正対象項目名】０００５
【補正方法】変更
【補正の内容】
【０００５】
本考案の主たる特徴は、耐熱透明主体１の周辺を耐熱樹脂帯２で取り巻いた鍋蓋であって、耐熱樹脂帯２は内周が外周に比べて高くなる傾斜を有し且つその帯幅の略中央部に折曲げ部３を形成すると共に、この折曲げ部３の内周に補助曲げ部３０を形成したしたことである。
【手続補正２】
【補正対象書類名】明細書
【補正対象項目名】０００７
【補正方法】変更
【補正の内容】
【０００７】
本考案にあっては請求項１の考案では、上述のようにしたから、中央部が透明で調理時、鍋の中の調理物を確認しながら調理できるものにおいて、耐熱樹脂帯２は内周が外周に比べて高くなる傾斜を有し、調理時は全体の形態を中央部が持ち上がったドーム状に近い形状とし、通常の煮炊きするドーム形状の鍋蓋としての機能を発揮することができ、更に非使用時は耐熱樹脂体２を折曲げ部３及び補助曲げ部３０で折り畳んでコンパクトに収納できる利点がある。
【手続補正書】
【提出日】平成25年10月9日(2013.10.9)
【手続補正１】
【補正対象書類名】実用新案登録請求の範囲
【補正対象項目名】請求項１
【補正方法】変更
【補正の内容】
【請求項１】
耐熱透明主体の周辺を耐熱樹脂帯で取り巻いた鍋蓋であって、耐熱樹脂帯は内周が外周に比べて高くなる傾斜を有し、且つその帯幅の略中央部に折曲げ部を形成すると共に、この折曲げ部の内周に補助曲げ部を形成したことを特徴とする鍋蓋。